(57)【要約】【課題】業務によって排出される厨房廃油水や空気清浄器の水フィルター廃油水は、グリストラップと呼ばれる浄化槽によって微生物処理されているが、必要とする酸素の供給に動力を使い、処理排水の送流にも動力を使い、しかも微生物の活動を高める最適な環境を用意するという配慮が十分でないという問題がある。無動力で、簡単で、安価な、効率のよい微生物処理方法が求められている。【解決手段】グリストラップ浄化槽内のエアレーションに代替えする無動力の酸素供給方法を考案し、さらに微生物の快適住環境を実現する微生物担持体を考案して、これら２つの考案を複合してシステム化した。これら２つの考案を複合して相乗効果を生み出し、システム化するにあたって、本装置の機能を向上させる有効な手段として、グリストラップ浄化槽の蓋及び底の素材をそれぞれ選択した。【選択図】図１
2009248075.tif 000002
【特許請求の範囲】
【請求項１】
処理排水の流入口と排出口を有した、上部が開放されたおおむね直方体の微生物処理槽であって、微生物担持体によって複数の室に仕切られ、上部に着脱可能な蓋を有した、処理排水の流動を各室の水位によって制御して、微生物担持体が処理排水中に没した状態と蓋との空間の空気に半分以上がさらされる状態を繰り返すことを特徴とする微生物処理による油含有汚濁水処理装置
【請求項２】
微生物担持体が連続気泡セラミックを醸造酒又は醸造酢に２４時間以上含浸させた後乾燥させたものであることを特徴とする請求項１の装置
【請求項３】
微生物担持体が木材チップを細片化し水洗した後乾燥して圧縮し網状の外皮によって成型されたものであることを特徴とする請求項１の装置
【請求項４】
処理排水の流動を各室の水位によって制御する機構が生物担持体に付いたバルブ機構によって制御され、各室の水位を示す浮子と連動することを特徴とする請求項２又は請求項３の装置
【請求項５】
生物処理槽の上部又は蓋に複数の換気孔を有したことを特徴とする請求項４の装置
【請求項６】
断熱性の優れた素材でつくられた蓋を有したことを特徴とする請求項４の装置
【請求項７】
遠赤外線放射性の優れた素材でつくられた底を有したことを特徴とする請求項４の装置
【発明の詳細な説明】
【発明の詳細な説明】
【０００１】
【技術分野】
【技術分野】
【０００１】本発明は、油含有汚濁水の微生物処理装置及び処理方法に関する。特に厨房廃油水や空気清浄器の水フィルター廃油水の処理において、無動力で、簡単で、安価な、効率のよい微生物処理方法に関する。
【従来技術】
【０００２】業務によって排出される厨房廃油水や空気清浄器の水フィルター廃油水は、グリストラップと呼ばれる浄化槽によって微生物処理されているのが一般的である。
【０００３】グリストラップ浄化槽中の含油汚濁水を処理する微生物処理装置が多く提案されている（例えば、特許文献１、２参照。）。これらの提案されている微生物処理装置は、いずれも油分の分解に好気性微生物の活動を利用するもので、酸素の消費が必要不可欠である。
【０００４】微生物の活動に必要な酸素を供給するために、動力を使ってエアレーションを行っているが、そのコストは無視できないばかりか、故障したまま放置されていたりする。
【０００５】微生物の生態から、微生物にとって最適な住環境を用意するという配慮が十分ではないために、グリストラップ浄化槽の体積あたりの処理能力はまだまだ低いのが現実である。
【特許文献１】特開２０００−３２５９３８号公報
【特許文献２】特開２００２−８６１７３号公報
【発明の開示】
【発明が解決しようとする課題】
【０００６】これらの従来技術では、必要とする酸素の供給に動力を使い、処理排水の送流にも動力を使い、しかも微生物の活動を高める最適な環境を用意するという配慮が十分でないという問題がある。【０００７】また、古くなったグリストラップ浄化槽を更新しようとすると莫大な費用を必要とする現実がある。既存の浄化槽を安価な改良工事で優れた性能を発揮する微生物処理方法でかつランニングコストがかからない方法が求められている。【０００８】そこで、本発明は、上述した問題点に鑑みて、微生物の生態を研究して、知見を集めて考案したものであり、その目的とするところは、動力を使用することなく、効率よく含油汚濁水を微生物処理して、浄化、脱臭処理を行う装置及び処理方法を提供することにある。
【課題を解決するための手段】
【０００９】本発明者は、課題を解決するために、グリストラップ浄化槽内のエアレーションに代替えする無動力の酸素供給方法を考案し、さらに微生物の快適住環境を実現する微生物担持体を考案して、これら２つの考案を複合してシステム化した。【００１０】さらに、実験を重ねて、これら２つの考案を複合して相乗効果を生み出し、システム化するにあたって、本装置の機能を向上させる有効な手段として、グリストラップ浄化槽の蓋及び底の素材をそれぞれ選択した。【００１１】本考案によるグリストラップ浄化槽は、請求項１に示すように、処理排水の流入口と排出口を有した、上部が開放されたおおむね直方体の微生物処理槽であって、微生物担持体によって複数の室に仕切られ、上部に着脱可能な蓋を有した、処理排水の流動を各室の水位によって制御して、微生物担持体が処理排水中に没した状態と蓋との空間の空気に半分以上がさらされる状態を繰り返す仕組みとなっている。【００１２】処理排水は、装置が微生物担持体の仕切り板によって複数の室に分割されていて、各室の水位を測定する浮子に連結するバルブによって、処理排水が次の室に流動移動する仕組みとなっている。処理排水は各室間のバルブを通して移動するが、微生物担持体の仕切り板が連続気泡構造であるから浸透によっても移動する仕組みとなっている。【００１３】仕切り板を兼ねる微生物担持体は、連続気泡セラミックを発酵酒又は発酵酢に含浸させて乾燥したもの、あるいは、木材チップを細片化し乾燥して圧縮し網状の外皮によって成型したものである。微生物担持体は、無機質のシリカを主成分としたものでも、有機質の木材のチップでも、多孔体であれば良いのではなく、微細な連続した気泡（気孔）を有していることが必要条件である。【００１４】このような仕組みによって、グリストラップ浄化槽は、蓋に用意した複数の換気孔から外の空気を、動力を使わなくても、処理排水の流動によって、自然に外の新鮮な空気を呼吸することが出来る。【００１５】グリストラップ浄化槽の蓋は、断熱性の優れた素材でつくられたものである。【００１６】グリストラップ浄化槽の底は、遠赤外線放射性の優れた素材でつくられたものである。
【作用】
【００１７】実験により得られたグリストラップ浄化槽に必要な作用機序は要約次のとおりである。
（１）処理対象物を分解し発酵させる微生物の同定と増殖方法
「有機物を分解発酵させる微生物はその有機物に生息している」
「微生物は多様な種族が多数生息することが重要である。最低１８００種族」
「微生物は好気性菌と嫌気性菌がそれぞれの空間に繁殖し、かつ、両種族が競合する空間が必要である。」
「有用な微生物は土壌に生息しているから、有機物と微生物の必要とする食料を、土壌中に埋めて微生物を集め、採取して繁殖さればよい。」
「微生物の快適条件で増殖して、連続気泡セラミックに固定すればよい。」
【００１８】（２）動力を使わない攪拌・エアレーションの方法
「エネルギー源は、汚水の流入エネルギーと重力エネルギーしかない。」
「グリストラップ内を複数の槽に分けて汚水の流入・排出を繰り返すことで攪拌・エアレーションを実現する。」
「隣の槽が満杯になったらフロートとバルブの連動機構が働いて汚水が流入する仕組みを用意する。」（水洗トイレの仕組みと同じ）
「動力によるエアレーションのかわりに、水中の微生物の住居（連続気泡セラミック）を空気中に、繰り返しさらす。」
【００１９】（３）微生物の繁殖
「微生物は、逃げ道のある空間出なければ繁殖しないという知見がある。」
【００２０】（４）微生物の快適な生育条件
「好気性菌の一般的に快適な生育条件は、空気中であれば、湿度６０％温度２５℃という知見がある。」
「一般的に、温度は、１５℃以上を保ちたい。」
【発明を実施するための最良の形態】
【実施例１】
【００２１】図１に本装置の実施例１を示す。
処理工程は次のとおりである。
（１）各独立した複数槽で構成され、廃油水は１槽から順次４槽へと移動する。ここでは、４槽の場合を図示している。
（２）各槽から次の槽への移動は、下部に設けられたバルブが開かれることで次の槽へ誘導される。
（３）バルブＢは、各槽上部に設けられたフロートＦの水位に応じた変位によって開閉される。
（４）フロートＦは、水位ＧＬ１とＧＬ２の間で変位する。
（５）フロートＦは、水位ＧＬ１に達した時バルブＢを開き、水位ＧＬ２に達した時バルブＢを閉じる。
（６）廃油水が各槽の容量を超えて流れた時は、最上部の余裕空間に流れる構造になっている。
（７）各槽に設けられたバルブの開閉は、次のような制限を附している。
バルブＢｎが開いているとき、Ｂ（ｎ−１）は、（ｎ−１）槽の水位がＧＬ１に達していても開かない
（８）ＧＬ２の高さは使用廃油水量に応じて設定できる。
【実施例２】
【００２２】図２に実施例２を示す。
工程は実施例１と同じであるから説明を省略する。
【発明の効果】
【００２３】本装置は、動力によるエアレーションによる酸素の供給が、無動力でできるばかりでなく、従来技術より数段優れた微生物処理ができる。
【００２４】本装置は既存のグリストラップ浄化槽の躯体をそのまま利用して改良できるという利点がある。
【図面の簡単な説明】
【図１】実施例１の概念図を示す。
【図２】実施例２の概念図を示す。
【符号の説明】
ＧＬ・・・水位
ＳＥ・・・槽分離仕切り（微生物担持体）
Ｂ・・・・バルブ
Ｆ・・・・フロート
【図１】
2009248075.tif 000003
【図２】
2009248075.tif 000004